(57)【要約】  本発明に係る冷蔵庫は、貯蔵室の開口部を開閉自在に塞ぐ扉と、前記扉の前記貯蔵室側の面部である内面部に設けられ、上部が開口した収納部と、を備えた冷蔵庫であって、平面視した際に前記内面部に沿う方向を第１方向とし、平面視した際に前記第１方向と垂直方向となる方向を第２方向とした場合、前記第２方向に延びる第１仕切り部を有し、前記第１方向に移動自在に前記収納部に収納される第１仕切り部材と、前記第１方向に延びる第２仕切り部を有し、前記第２方向に移動自在に前記第１仕切り部材に取り付けられて前記収納部に収納される第２仕切り部材と、を備えている。
2020105178.tif 000002
【特許請求の範囲】
【請求項１】
貯蔵室の開口部を開閉自在に塞ぐ扉と、
前記扉の前記貯蔵室側の面部である内面部に設けられ、上部が開口した収納部と、
を備えた冷蔵庫であって、
平面視した際に前記内面部に沿う方向を第１方向とし、平面視した際に前記第１方向と垂直方向となる方向を第２方向とした場合、
前記第２方向に延びる第１仕切り部を有し、前記第１方向に移動自在に前記収納部に収納される第１仕切り部材と、
前記第１方向に延びる第２仕切り部を有し、前記第２方向に移動自在に前記第１仕切り部材に取り付けられて前記収納部に収納される第２仕切り部材と、
を備えた冷蔵庫。
【請求項２】
前記第１仕切り部材は、前記第１方向に移動自在に前記収納部に収納される土台部を備え、
前記第１仕切り部は、前記土台部から上方に突出して設けられている請求項１に記載の冷蔵庫。
【請求項３】
前記第２仕切り部材は、前記第２方向に移動自在に前記第１仕切り部の上縁部に引っ掛かる引っ掛かり部を備え、
前記第２仕切り部は、前記引っ掛かり部から前記第１方向へ突出して設けられている請求項１又は請求項２に記載の冷蔵庫。
【請求項４】
前記第２仕切り部の少なくとも一部は、上下方向に山部及び谷部が延びる波形形状に形成されている請求項１〜請求項３のいずれか一項に記載の冷蔵庫。
【請求項５】
前記第１仕切り部材は、
前記第２仕切り部材が前記第１仕切り部材に取り付けられた状態において前記第１仕切り部材及び前記第２仕切り部材を平面視した際に、前記第１仕切り部を基準として前記第２仕切り部とは反対側となる位置に、上下方向に貫通する開口部が形成された収納物支持部を備えている請求項１〜請求項４のいずれか一項に記載の冷蔵庫。
【発明の詳細な説明】
【技術分野】
【０００１】
本発明は、扉に収納部を備えた冷蔵庫に関する。
【背景技術】
【０００２】
従来、冷蔵庫には、貯蔵室の開口部を開閉自在に塞ぐ扉の内面部に、上部に開口する収納部を備えたものが知られている。収納部には、ドリンクピッチャー等の収納物が収納される。また、従来の冷蔵庫には、収納部内を仕切板で複数の収納空間に仕切り、収納部の使い勝手の向上を図った冷蔵庫も提案されている（特許文献１参照）。【０００３】
詳しくは、特許文献１に記載の冷蔵庫は、扉の内面部を構成する内板に、ポケットが取り付けられている。ポケットは、底部と、底部における内板と接する縁部以外の縁部から上方に延びる周壁と、を備えている。より詳しくは、平面視した際に扉の内面部に沿う方向を第１方向とし、平面視した際に該第１方向と垂直方向となる方向を第２方向とする。このように定義した場合、ポケットは、底部の縁部のうち、内板と接する縁部と対向する縁部に、第１方向に延びる周壁が設けられている。また、ポケットは、底部の縁部のうちの第１方向に対向する一対の縁部に、内板と前記の第１方向に延びる周壁との間を塞ぐ一対の周壁が設けられている。すなわち、ポケットは、第１方向に対向する一対の周壁を備えている。そして、ポケットの底部、第１方向に延びる周壁、第１方向に対向する一対の周壁、及び内板によって、上部に開口する収納部が形成されている。【０００４】
また、特許文献１に記載の冷蔵庫は、収納部に、第２方向に延びる仕切板が固定されている。この第２方向に延びる仕切板により、収納部の内部は、第１方向に並ぶ２つの収納空間に仕切られている。また、特許文献１に記載の冷蔵庫には、第１方向に延びる仕切板が、第２方向に延びる仕切板に移動自在に取り付けられている。この第１方向に延びる仕切板は、第２方向に延びる仕切板によって仕切られた収納空間の一方に配置されている。そして、第１１方向に延びる仕切板は、当該空間を第２方向に並ぶ２つの収納空間に仕切っている。
【先行技術文献】
【特許文献】
【０００５】
【特許文献１】特開２０１２−２５５６３５号公報
【発明の概要】
【発明が解決しようとする課題】
【０００６】
特許文献１に記載の冷蔵庫においては、第２方向に延びる仕切板が収納部に固定されている。このため、第２方向に延びる仕切板によって仕切られた収納空間の第１方向の長さを変更することができない。このため、第２方向に延びる仕切板によって仕切られた収納空間に収納物を収納した際、当該収納空間の第１方向の長さに比べて収納物の第１方向の長さが小さい場合、扉の開閉時等に収納物が第１方向に移動し、収納物の安定性が悪くなってしまうことがある。このように、従来の冷蔵庫は、扉の内面部に設けられた収納部の使い勝手をさらに改善する余地があるという課題があった。【０００７】
本発明は、上述の課題を解決するためになされたもので、扉の内面部に設けられた収納部の使い勝手を従来よりも向上させることができる冷蔵庫を提供することを目的とする。
【課題を解決するための手段】
【０００８】
本発明に係る冷蔵庫は、貯蔵室の開口部を開閉自在に塞ぐ扉と、前記扉の前記貯蔵室側の面部である内面部に設けられ、上部が開口した収納部と、を備えた冷蔵庫であって、平面視した際に前記内面部に沿う方向を第１方向とし、平面視した際に前記第１方向と垂直方向となる方向を第２方向とした場合、前記第２方向に延びる第１仕切り部を有し、前記第１方向に移動自在に前記収納部に収納される第１仕切り部材と、前記第１方向に延びる第２仕切り部を有し、前記第２方向に移動自在に前記第１仕切り部材に取り付けられて前記収納部に収納される第２仕切り部材と、を備えている。
【発明の効果】
【０００９】
本発明に係る冷蔵庫においては、第１仕切り部材の第１仕切り部によって、収納部の内部を第１方向に並ぶ２つの収納空間に仕切ることができる。この際、第１仕切り部材は第１方向に移動自在となっているので、第１仕切り部で仕切られる収納空間の第１方向の長さを変更することもできる。また、本発明に係る冷蔵庫においては、第２仕切り部材の第２仕切り部によって、収納部の内部を第２方向に並ぶ２つの収納空間に仕切ることができる。この際、第２仕切り部材は第２方向に移動自在となっているので、第２仕切り部で仕切られる収納空間の第２方向の長さを変更することもできる。このように、本発明に係る冷蔵庫は、収納部内の収納空間に収納される収納物の大きさに応じて、収納空間の第１方向の長さ及び第２方向の長さの双方を変更できる。したがって、本発明に係る冷蔵庫は、収納部の使い勝手を従来よりも向上させることができる。
【図面の簡単な説明】
【００１０】
【図１】本発明の実施の形態１に係る冷蔵庫を示す斜視図であり、扉を開いた状態の冷蔵庫を示す斜視図である。
【図２】本発明の実施の形態１に係る冷蔵庫の扉を示す斜視図であり、収納部に収納物が収納された状態の扉を示す斜視図である。
【図３】本発明の実施の形態１に係る冷蔵庫の扉を斜視図であり、収納部に収納物が収納されていない状態を示す斜視図である。
【図４】本発明の実施の形態１に係る冷蔵庫の第１仕切り部材及び第２仕切り部材を示す斜視図である。
【図５】本発明の実施の形態１に係る冷蔵庫の第１仕切り部材を示す斜視図である。
【図６】本発明の実施の形態１に係る冷蔵庫の第２仕切り部材を示す斜視図である。
【図７】本発明の実施の形態２に係る冷蔵庫の第２仕切り部材を示す斜視図である。
【発明を実施するための形態】
【００１１】
実施の形態１．
図１は、本発明の実施の形態１に係る冷蔵庫を示す斜視図であり、扉を開いた状態の冷蔵庫を示す斜視図である。図２は、本発明の実施の形態１に係る冷蔵庫の扉を示す斜視図であり、収納部に収納物が収納された状態の扉を示す斜視図である。また、図３は、本発明の実施の形態１に係る冷蔵庫の扉を斜視図であり、収納部に収納物が収納されていない状態を示す斜視図である。
【００１２】
冷蔵庫１００は、前面部が開口した箱形形状である本体部１を備えている。この本体部１は、該本体部１の外周面部を構成する例えば鋼板製の外箱３と、該本体部１の内周面部を構成する例えば樹脂製の内箱２とを備えている。また、外箱３と内箱２との間には、断熱材が設けられている。
【００１３】
本体部１の内部は、貯蔵室１０となる。すなわち、本体部１には、前面部に開口部を有する貯蔵室１０が形成されている。なお、本実施の形態１に係る本体部１は、本体部１の内部が上下方向に２つに区画され、２つの貯蔵室１０が形成されている。詳しくは、上側の貯蔵室１０が冷蔵室１１となっており、下側の貯蔵室１０が冷凍室１２となっている。
【００１４】
貯蔵室１０の開口部は、扉によって開閉自在に塞がれる。具体的には、冷蔵室１１の開口部は、扉２０によって開閉自在に塞がれる。扉２０は、側方の一方の端部が回転自在に本体部１と接続されており、本体部１との接続部を中心として回転する回転扉となっている。また、冷凍室１２の開口部は、扉１３によって開閉自在に塞がれる。扉１３は、引き出し式の扉となっている。
【００１５】
扉２０は、扉２０の冷蔵室１１側の面部である内面部を構成する内板２１と、扉２０の外面部を構成する外面パネル２２とを備えている。また、内板２１と外面パネル２２との間には、断熱材が設けられている。また、扉２０の内板２１には、上部に開口する収納部２４が設けられている。収納部２４には、収納物として、例えば、ボトルピッチャー、ペットボトル、缶飲料、及び牛乳パック等の食品が収納される。以下、収納部２４及び該収納部２４の内部を仕切る後述の仕切り部材を説明するに際し、第１方向Ｘ及び第２方向Ｙを図２及び図３のように定義する。具体的には、平面視した際に内板２１に沿う方向を、第１方向Ｘとする。また、平面視した際に第１方向Ｘと垂直方向となる方向を、第２方向Ｙとする。
【００１６】
本実施の形態１では、扉２０の内面部を構成する内板２１にポケット２３が取り付けられて、収納部２４が形成されている。具体的には、ポケット２３は、例えば略直方体の底部２５を備えている。また底部２５の縁部のうち、内板２１と接する縁部以外の縁部から、周壁２６が上方に延びている。詳しくは、底部２５の縁部のうち、内板２１と接する縁部と対向する縁部に、第１方向Ｘに延びる周壁２６ａが設けられている。また、底部２５の縁部のうちの第１方向Ｘに対向する一対の縁部に、内板２１と周壁２６ａとの間を塞ぐ一対の周壁２６ｂが設けられている。すなわち、ポケット２３は、第１方向Ｘに対向する一対の周壁２６ｂを備えている。そして、底部２５、周壁２６ａ、一対の周壁２６ｂ、及び内板２１によって、上部に開口する収納部２４が形成されている。すなわち、周壁２６ａ、一対の周壁２６ｂ、及び内板２１が収納部２４の周壁となっている。また、底部２５が収納部２４の底部となっている。
【００１７】
また、収納部２４には、収納部２４の内部を第１方向に並ぶ２つの収納空間に仕切る第１仕切り部材３０と、収納部２４の内部を第２方向に並ぶ２つの収納空間に仕切る第２仕切り部材４０とが収納されている。なお、ここでいう第１仕切り部材３０及び第２仕切り部材４０が収納部２４の内部を仕切るとは、厳密な意味で仕切るということではない。第１仕切り部材３０と収納部２４の周壁との間に隙間が形成されていてもよい。同様に、第２仕切り部材４０と収納部２４の周壁との間に隙間が形成されていてもよい。
【００１８】
図４は、本発明の実施の形態１に係る冷蔵庫の第１仕切り部材及び第２仕切り部材を示す斜視図である。図５は、本発明の実施の形態１に係る冷蔵庫の第１仕切り部材を示す斜視図である。また、図６は、本発明の実施の形態１に係る冷蔵庫の第２仕切り部材を示す斜視図である。以下、図４〜図６と、上述の図２及び図３とを用い、第１仕切り部材３０及び第２仕切り部材４０の詳細について説明する。
【００１９】
第１仕切り部材３０は、第２方向Ｙに延びる例えば板状の第１仕切り部３１を備えている。すなわち、第１仕切り部３１によって、収納部２４の内部は、第１方向Ｘに並ぶ２つの収納空間に仕切られる。また、第１仕切り部材３０は、第１方向Ｘに移動自在に、収納部２４に収納されている。すなわち、収納部２４の内部を第１方向Ｘに並ぶ２つの収納空間に仕切る第１仕切り部３１は、第１方向Ｘに移動自在となっている。このため、第１仕切り部材３０を第１方向Ｘに移動させることにより、第１仕切り部３１で仕切られる収納空間の第１方向Ｘの長さを変更することができる。
【００２０】
なお、本実施の形態１では、第１仕切り部材３０は、次のような構成により、第１方向Ｘに移動自在となっている。第１仕切り部材３０は、第１方向Ｘに移動自在に収納部２４に収納される例えば板状の土台部３２を備えている。より詳しくは、土台部３２は、収納部２４の底部２５の上面に摺動自在に置かれている。これにより、土台部３２は、第１方向Ｘに移動自在となっている。そして、第１仕切り部３１は、土台部３２から上方に突出して設けられている。なお、本実施の形態１では、第１仕切り部３１は、土台部３２の第１方向Ｘに対向する側縁部の一方から、上方に突出している。このため、第２方向Ｙに第１仕切り部材３０を観察した際、第１仕切り部３１及び土台部３２は、略Ｌ字状となっている。
【００２１】
第２仕切り部材４０は、第１方向Ｘに延びる例えば板状の第２仕切り部４１を備えている。すなわち、第２仕切り部４１によって、収納部２４の内部は、第２方向Ｙに並ぶ２つの収納空間に仕切られる。より詳しくは、第２仕切り部４１によって、第１仕切り部３１によって仕切られた収納空間の１つが、第２方向Ｙに並ぶ２つの収納空間に仕切られる。また、第２仕切り部材４０は、第２方向Ｙに移動自在に第１仕切り部材３０に取り付けられて、収納部２４に収納されている。すなわち、収納部２４の内部を第２方向Ｙに並ぶ２つの収納空間に仕切る第２仕切り部４１は、第２方向Ｙに移動自在となっている。このため、第２仕切り部材４０を第２方向Ｙに移動させることにより、第２仕切り部４１で仕切られる収納空間の第２方向Ｙの長さを変更することができる。
【００２２】
なお、本実施の形態１では、第２仕切り部材４０は、次のような構成により、第２方向Ｙに移動自在となっている。第２仕切り部材４０は、第２方向Ｙに移動自在に第１仕切り部３１の上縁部３１ａに引っ掛かる引っ掛かり部４２を備えている。詳しくは、引っ掛かり部４２には、第２方向Ｙに延びる溝４３が形成されている。この溝４３に第１仕切り部３１の上縁部３１ａが摺動自在に挿入されて、第２仕切り部材４０は第２方向Ｙに移動自在となっている。そして、第２仕切り部４１は、引っ掛かり部４２から第１方向Ｘへ突出して設けられている。なお、本実施の形態１では、第２仕切り部４１は、引っ掛かり部４２の第２方向Ｙの略中央位置から、第１方向Ｘへ突出している。このため、第２仕切り部材４０を平面視した際、第２仕切り部４１及び引っ掛かり部４２は、略Ｔ字状となっている。
【００２３】
また、本実施の形態１では、引っ掛かり部４２の溝４３の幅は、ポケット２３の周壁２６の厚みよりも大きくなっている。このため、引っ掛かり部４２を周壁２６の上縁部に摺動自在に引っ掛けることも可能となっている。例えば、周壁２６ａの上縁部に引っ掛かり部４２を引っ掛けた場合、第２仕切り部材４０は第１方向Ｘに移動自在となる。また、第２仕切り部材４０の第２仕切り部４１は、第２方向Ｙに突出することとなる。この場合、第２仕切り部４１によって、収納部２４の内部は、第１方向Ｘに並ぶ２つの収納空間に仕切られる。そして、第２仕切り部材４０を第１方向Ｘに移動させることにより、第２仕切り部４１で仕切られる収納空間の第１方向Ｘの長さを変更することができる。また例えば、周壁２６ｂの上縁部に引っ掛かり部４２を引っ掛けた場合、第２仕切り部材４０は第２方向Ｙに移動自在となる。また、第２仕切り部材４０の第２仕切り部４１は、第１方向Ｘに突出することとなる。この場合、第２仕切り部４１によって、収納部２４の内部は、第２方向Ｙに並ぶ２つの収納空間に仕切られる。そして、第２仕切り部材４０を第２方向Ｙに移動させることにより、第２仕切り部４１で仕切られる収納空間の第２方向Ｙの長さを変更することができる。
【００２４】
また、本実施の形態１では、第１仕切り部材３０は、上下方向に貫通する開口部３４が形成された収納物支持部３３を備えている。収納物支持部３３は、第２仕切り部材４０が第１仕切り部材３０に取り付けられた状態において第１仕切り部材３０及び第２仕切り部材４０を平面視した際に、第１仕切り部３１を基準として第２仕切り部４１とは反対側となる位置に設けられている。本実施の形態１では、収納物支持部３３は、第１仕切り部３１に設けられている。収納物支持部３３の開口部３４には、例えば、チューブ状の容器に入った食品等、細長い形状の収納物が挿入される。これにより、細長い形状の収納物を、収納物支持部３３によって支持できる。すなわち、収納物支持部３３を設けることにより、細長い形状の収納物を立てたまま収納できるため、収納部２４内を整理しやすくなり、収納部２４の使い勝手が向上する。
【００２５】
以上、本実施の形態１に係る冷蔵庫１００は、冷蔵室１１の開口部を開閉自在に塞ぐ扉２０と、扉２０の冷蔵室１１側の面部である内面部に設けられ、上部が開口した収納部２４と、を備えている。また、本実施の形態１に係る冷蔵庫１００は、第２方向Ｙに延びる第１仕切り部３１を有し、第１方向Ｘに移動自在に収納部２４に収納される第１仕切り部材３０と、第１方向Ｘに延びる第２仕切り部４１を有し、第２方向Ｙに移動自在に第１仕切り部材３０に取り付けられて収納部２４に収納される第２仕切り部材４０と、を備えている。
【００２６】
本実施の形態１に係る冷蔵庫１００においては、第１仕切り部材３０の第１仕切り部３１によって、収納部２４の内部を第１方向Ｘに並ぶ２つの収納空間に仕切ることができる。この際、第１仕切り部材３０は第１方向Ｘに移動自在となっているので、第１仕切り部３１で仕切られる収納空間の第１方向Ｘの長さを変更することもできる。また、本実施の形態１に係る冷蔵庫１００においては、第２仕切り部材４０の第２仕切り部４１によって、収納部２４の内部を第２方向Ｙに並ぶ２つの収納空間に仕切ることができる。この際、第２仕切り部材４０は第２方向Ｙに移動自在となっているので、第２仕切り部４１で仕切られる収納空間の第２方向Ｙの長さを変更することもできる。このように、本実施の形態１に係る冷蔵庫１００は、収納部２４内の収納空間に収納される収納物の大きさに応じて、収納空間の第１方向Ｘの長さ及び第２方向Ｙの長さの双方を変更できる。したがって、本実施の形態１に係る冷蔵庫１００は、収納部２４の使い勝手を従来よりも向上させることができる。
【００２７】
実施の形態２．
第２仕切り部材４０の第２仕切り部４１を本実施の形態２のように構成することにより、収納部２４の使い勝手をさらに向上させることが可能となる。なお、本実施の形態２において、特に記述しない項目については実施の形態１と同様とし、実施の形態１と同様の機能及び構成については同一の符号を用いて述べることとする。
【００２８】
図７は、本発明の実施の形態２に係る冷蔵庫の第２仕切り部材を示す斜視図である。
本実施の形態２では、第２仕切り部４１の少なくとも一部が、上下方向に山部及び谷部が延びる波形形状に形成されている。このように第２仕切り部４１を構成することにより、波形形状部分において、第２仕切り部４１が第２方向Ｙに曲がりやすくなる。
【００２９】
第２仕切り部４１で仕切られた収納空間に第２方向Ｙの幅が異なる複数の収納物を収納した際、本実施の形態２に係る第２仕切り部材４０においては、第２方向Ｙの幅が異なる複数の収納物の側面に沿って、第２仕切り部４１を変形させることができる。すなわち、第２仕切り部４１で仕切られた収納空間に第２方向Ｙの幅が異なる複数の収納物を収納した場合でも、これらの収納物の安定性を確保することができる。このため、本実施の形態２のように第２仕切り部４１を構成することにより、第２仕切り部４１で仕切られた収納空間に収納される収納物の大きさの自由度が向上する。また、第２仕切り部４１で仕切られた収納空間に収納される収納物の配置の自由度も向上する。したがって、本実施の形態２のように第２仕切り部４１を構成することにより、収納部２４の使い勝手がさらに向上する。
【００３０】
なお、上述の実施の形態１及び実施の形態２では、冷蔵室１１の開口部を開閉自在に塞ぐ扉２０の内面部に設けられた収納部２４に、第１仕切り部材３０及び第２仕切り部材４０を設ける例について説明した。しかしながら、これはあくまでも一例である。冷蔵庫は、冷蔵室１１以外の貯蔵室の開口部を開閉自在に塞ぐ扉の内面部に、収納部が設けられる場合がある。このような収納部に第１仕切り部材３０及び第２仕切り部材４０を設けても、上述の効果を得ることができる。
【符号の説明】
【００３１】
１  本体部、２  内箱、３  外箱、１０  貯蔵室、１１  冷蔵室、１２  冷凍室、１３  扉、２０  扉、２１  内板（内面部）、２２  外面パネル、２３  ポケット、２４  収納部、２５  底部、２６  周壁、２６ａ  周壁、２６ｂ  周壁、３０  第１仕切り部材、３１  第１仕切り部、３１ａ  上縁部、３２  土台部、３３  収納物支持部、３４  開口部、４０  第２仕切り部材、４１  第２仕切り部、４２  引っ掛かり部、４３  溝、１００  冷蔵庫、Ｘ  第１方向、Ｙ  第２方向。
【図１】
2020105178.tif 000003
【図２】
2020105178.tif 000004
【図３】
2020105178.tif 000005
【図４】
2020105178.tif 000006
【図５】
2020105178.tif 000007
【図６】
2020105178.tif 000008
【図７】
2020105178.tif 000009
【国際調査報告】
2020105178.tif 000010
2020105178.tif 000011
2020105178.tif 000012